(57)【要約】【課題】バーナヘッド１２の周壁部１２２に、上段炎孔１３と下段炎孔１４とが周方向に位置をずらした千鳥状に複数形成されたコンロ用バーナであって、バーナヘッド１２の周壁部１２２の外周面は、上方に向かって縮径するテーパー面に形成され、バーナヘッド１２の上端の端壁部の外周に、周壁部１２２の外周面の上端よりも径方向外方に張出す庇部１２３が設けられるものにおいて、庇部１２３の外径を然程大きくすることなく、下段炎孔１４に煮こぼれ汁がかかることを防止できるようにする。【解決手段】庇部１２３は、上段炎孔１３の開口部の下端を通る、バーナヘッド１２と同心の鉛直な円筒面よりも径方向外方に張出す。庇部１２３の上面に、環状の堤部１２４が立設されると共に、堤部１２４の周方向一部に、周方向に隣接する所定の下段炎孔１４，１４間の間隔部分の周方向範囲Ｗ内に収まるように切欠き部１２５が形成される。【選択図】図３
2018189255.tif 000002
【特許請求の範囲】
【請求項１】
上端が端壁部で閉塞された筒状のバーナヘッドを備え、バーナヘッドの周壁部の上部と下部に、混合気を噴出する上段炎孔と下段炎孔とが周方向に位置をずらした千鳥状に複数形成されたコンロ用バーナであって、バーナヘッドの周壁部の外周面は、上方に向かって縮径するテーパー面に形成され、バーナヘッドの端壁部の外周に、バーナヘッドの周壁部の外周面の上端よりも径方向外方に張出す庇部が設けられるものにおいて、
庇部は、バーナヘッドの周壁部外周面に対する上段炎孔の開口部の下端を通る、バーナヘッドと同心の鉛直な円筒面よりも径方向外方に張出し、庇部の上面に、環状の堤部が立設されると共に、堤部の周方向一部に、周方向に隣接する所定の下段炎孔間の間隔部分の周方向範囲内に収まるように切欠き部が形成されることを特徴とするコンロ用バーナ。
【請求項２】
前記端壁部の上面に、端壁部の中央部から堤部に向かう下り勾配が付けられると共に、前記切欠き部の底面に、この下り勾配よりも大きな下り勾配が付けられることを特徴とする請求項1記載のコンロ用バーナ。
【請求項３】
前記切欠き部は、周方向幅が径方向外方に向けて狭くなるように形成されることを特徴とする請求項１又は２記載のコンロ用バーナ。
【請求項４】
前記堤部の内周面の下端コーナー部にアールが付けられると共に、前記切欠き部の周方向両側の下端コーナー部にアールが付けられることを特徴とする請求項１〜３の何れか１項記載のコンロ用バーナ。
【請求項５】
前記庇部の下面に、少なくとも前記切欠き部が形成された周方向部分に位置させて、前記円筒面よりも径方向外方位置で上方に窪む窪み部が形成されることを特徴とする請求項１〜４の何れか１項記載のコンロ用バーナ。
【発明の詳細な説明】
【技術分野】
【０００１】
本発明は、上端が端壁部で閉塞された筒状のバーナヘッドを備え、バーナヘッドの周壁部に、混合気を噴出する炎孔が複数形成されたコンロ用バーナに関する。
【背景技術】
【０００２】
従来、この種のコンロ用バーナとして、バーナヘッドの周壁部に、炎孔を上下複数段に形成したものが知られている（例えば、特許文献１参照）。このようなコンロ用バーナの一つとして、バーナヘッドの周壁部の上部と下部に、上段炎孔と下段炎孔とを周方向に位置をずらした千鳥状に複数形成し、更に、バーナヘッドの周壁部の外周面を、上方に向かって縮径するテーパー面に形成したものも知られている。
【０００３】
また、炎孔を上下複数段に形成するものではないが、バーナヘッドの端壁部の外周に、バーナヘッドの周壁部の外周面の上端よりも径方向外方に張出す庇部を設けて、煮こぼれ汁が炎孔にかからないようにしたコンロ用バーナも知られている（例えば、特許文献２参照）。
【０００４】
ここで、バーナヘッドの周壁部に炎孔を上下２段に形成すると共に、バーナヘッドの周壁部外周面を上記の如くテーパー面に形成した場合、下段炎孔が上段炎孔よりも径方向外方位置でバーナヘッドの周壁部外周面に開口する。そのため、下段炎孔にも煮こぼれ汁がかからないようにするには、バーナヘッドの端壁部の外周に、外径がかなり大きな庇部を設ける必要がある。ところで、熱効率を向上させるには、上段炎孔に形成される火炎により鍋底のできるだけ中央寄りの部分まで加熱できるようにすることが望まれる。然し、庇部の外径を大きくしたのでは、上段炎孔に形成される火炎で加熱される鍋底の範囲が中央部から離れ、熱効率が悪くなってしまう。
【先行技術文献】
【特許文献】
【０００５】
【特許文献１】特開平１０−１５３３０４号公報
【特許文献２】特開２００９−１２１７０５号公報
【発明の概要】
【発明が解決しようとする課題】
【０００６】
本発明は、以上の点に鑑み、庇部の外径を然程大きくすることなく、下段炎孔に煮こぼれ汁がかかることを防止できるようにしたコンロ用バーナを提供することをその課題としている。
【課題を解決するための手段】
【０００７】
上記課題を解決するために、本発明は、上端が端壁部で閉塞された筒状のバーナヘッドを備え、バーナヘッドの周壁部の上部と下部に、混合気を噴出する上段炎孔と下段炎孔とが周方向に位置をずらした千鳥状に複数形成されたコンロ用バーナであって、バーナヘッドの周壁部の外周面は、上方に向かって縮径するテーパー面に形成され、バーナヘッドの端壁部の外周に、バーナヘッドの周壁部の外周面の上端よりも径方向外方に張出す庇部が設けられるものにおいて、庇部は、バーナヘッドの周壁部外周面に対する上段炎孔の開口部の下端を通る、バーナヘッドと同心の鉛直な円筒面よりも径方向外方に張出し、庇部の上面に、環状の堤部が立設されると共に、堤部の周方向一部に、周方向に隣接する所定の下段炎孔間の間隔部分の周方向範囲内に収まるように切欠き部が形成されることを特徴とする。
【０００８】
本発明によれば、バーナヘッドの端壁部上に落下した煮こぼれ汁は、庇部の上面の堤部で堰き止められ、これに形成した切欠き部を介して落下する。そして、庇部が上記円筒面よりも径方向外方、即ち、上段炎孔の開口部下端よりも径方向外方に張出しているため、切欠き部を介して落下した煮こぼれ汁が上段炎孔の開口部にかかることはない。更に、切欠き部が下段炎孔間の間隔部分の周方向範囲内に収まるため、庇部の外径を然程大きくしなくても、切欠き部を介して落下した煮こぼれ汁が下段炎孔の開口部にかかることを防止できる。
【０００９】
また、本発明においては、バーナヘッドの端壁部の上面に、端壁部の中央部から堤部に向かう下り勾配が付けられると共に、切欠き部の底面に、この下り勾配よりも大きな下り勾配が付けられることが望ましい。これによれば、端壁部上面に煮こぼれ汁が滞留しにくくなって、端壁部上面への煮こぼれ汁の焦げ付きを防止できる。更に、切欠き部から流出する煮こぼれ汁の流速が増加して、煮こぼれ汁がより径方向外方に落下し、下段炎孔の開口部に煮こぼれ汁がかかることをより確実に防止できる。
【００１０】
また、本発明においては、切欠き部を、周方向幅が径方向外方に向けて狭くなるように形成してもよい。この場合も、切欠き部から流出する煮こぼれ汁の流速が増加し、下段炎孔の開口部に煮こぼれ汁がかかることを確実に防止できる。
【００１１】
更に、本発明においては、堤部の内周面の下端コーナー部にアールが付けられると共に、切欠き部の周方向両側の下端コーナー部にアールが付けられることが望ましい。これによれば、これらコーナー部に煮こぼれ汁が滞留することを抑制できる。
【００１２】
また、本発明においては、庇部の下面に、少なくとも切欠き部が形成された周方向部分に位置させて、上記円筒面よりも径方向外方位置で上方に窪む窪み部が形成されることが望ましい。これによれば、切欠き部から流出する煮こぼれ汁の一部が庇部の下面に回り込んでも、窪み部で水切りされて落下する。そして、煮こぼれ汁の落下位置は上記円筒面よりも径方向外方、即ち、上段炎孔の開口部下端よりも径方向外方になるから、上段炎孔の開口部に煮こぼれ汁がかかることを確実に防止できる。
【図面の簡単な説明】
【００１３】
【図１】本発明の実施形態のコンロ用バーナたる子バーナを具備する親子バーナの斜視図。
【図２】図１の親子バーナの切断側面図。
【図３】図１の親子バーナの子バーナを構成するバーナヘッドの側面図。
【図４】図３のバーナヘッドの平面図。
【図５】図４のＶ−Ｖ線で切断した断面図。
【図６】他の実施形態のバーナヘッドの要部の平面図。
【発明を実施するための形態】
【００１４】
図１、図２は、コンロに設けられる親子バーナを示している。この親子バーナは、本発明の実施形態のコンロ用バーナである子バーナ１と、子バーナ１を囲う親バーナ２とを備えている。
【００１５】
親バーナ２は、混合管２１と、混合管２１の下流端に設けられた、子バーナ１を囲う環状のバーナボディ２２と、バーナボディ２２上に載置される環状のバーナヘッド２３とを備えている。混合管２１の上流端の流入口２１１には、図示省略した親バーナ用ガスノズルが臨んでおり、このガスノズルから噴射される燃料ガスと流入口２１１から吸引される一次空気との混合気が混合管２１を介してバーナボディ２２内に供給される。バーナヘッド２３の下面外周部には、環状壁２３１が垂設されており、この環状壁２３１に周方向の間隔を存して複数の溝を形成して、これら溝により主炎孔２４を構成している。また、バーナヘッド２３の上面に複数の凸部２３２を設けて、これら凸部２３２に上炎孔２５を形成し、更に、バーナヘッド２３の周方向の一部に、子バーナ１と親バーナ２との間で火移りさせるための、環状壁２３１から上面内周部に達するスリット状の火移り炎孔２６を形成している。そして、バーナボディ２２内に供給された混合気が主炎孔２４と上炎孔２５と火移り炎孔２６とから噴出して燃焼するようにしている。
【００１６】
子バーナ１は、混合管１１と、上向きに屈曲させた混合管１１の下流端部に外嵌する、上端が端壁部１２１で閉塞された筒状のバーナヘッド１２とを備えている。混合管１１の上流端には、図示省略した子バーナ用ガスノズルが挿入されており、このガスノズルから噴射される燃料ガスと混合管１１の上流端近傍に開設した流入口１１１から吸引される一次空気との混合気が混合管１１を介してバーナヘッド１２内に供給される。
【００１７】
図３乃至図５も参照して、バーナヘッド１２の周壁部１２２の上部と下部には、混合気を噴出する上段炎孔１３と下段炎孔１４とが周方向に位置をずらした千鳥状に複数形成されている。上段炎孔１３は、火炎リフトを抑制できるように、周壁部１２２の外周面側を大径孔部１３ａとした減速炎孔で構成されている。また、周壁部１２２の外周面は、上方に向かって縮径するテーパー面に形成されている。尚、周壁部１２２下端の混合管１１に対する嵌合部１２２ａの外周面は円筒面に形成されている。
【００１８】
バーナヘッド１２の端壁部１２１の外周には、バーナヘッド１２の周壁部１２２の外周面の上端よりも径方向外方に張出す庇部１２３が設けられている。庇部１２３の上面には、環状の堤部１２４が立設され、更に、堤部１２４の周方向の一部、具体的には、９０°間隔で周方向４箇所には、切欠き部１２５が形成されている。各切欠き部１２５は、周方向に隣接する各所定の下段炎孔１４，１４間の間隔部分の周方向範囲Ｗ内に収まるように設けられている。また、バーナヘッド１２の周壁部１２２外周面に対する上段炎孔１３の開口部の下端を通る、バーナヘッド１２と同心の鉛直な円筒面Ｃよりも庇部１２３が径方向外方に張出している。
【００１９】
以上の構成によれば、バーナヘッド１２の端壁部１２１上に落下した煮こぼれ汁は、庇部１２３の上面の堤部１２４で堰き止められ、これに形成した切欠き部１２５を介して落下する。そして、庇部１２３が上記円筒面Ｃよりも径方向外方、即ち、上段炎孔１３の開口部下端よりも径方向外方に張出しているため、切欠き部１２５を介して落下した煮こぼれ汁が上段炎孔１３の開口部にかかることはない。
【００２０】
ここで、本実施形態では、庇部１２３が、上記円筒面Ｃだけでなく、バーナヘッド１２の周壁部１２２外周面に対する下段炎孔１４の開口部の下端を通る、バーナヘッド１２と同心の鉛直な第２の円筒面Ｃ´よりも径方向外方に張出している。然し、切欠き部１２５から流出する煮こぼれ汁の一部が庇部１２３の下面に回り込んで、第２の円筒面Ｃ´よりも径方向内方位置で落下することがある。そのため、切欠き部１２５の周方向位置が下段炎孔１４の周方向位置に合致している場合、煮こぼれ汁が下段炎孔１４の開口部にかかることを防止するには、煮こぼれ汁が庇部１２３の下面を伝って第２の円筒面Ｃ´よりも径方向内方位置まで到達しないように、庇部１２３の外径を本実施形態よりもかなり大きくすることが必要になる。
【００２１】
これに対し、本実施形態では、切欠き部１２５が下段炎孔１４，１４間の間隔部分の周方向範囲Ｗ内に収まるため、切欠き部１２５から流出した煮こぼれ汁の一部が第２の円筒面Ｃ´よりも径方向内方位置で落下しても、煮こぼれ汁が下段炎孔１４の開口部にかかることを防止できる。従って、庇部１２３の外径を然程大きくせずに済み、熱効率を向上させることができる。
【００２２】
尚、本実施形態では、庇部１２３の下面に、少なくとも切欠き部１２５が形成された周方向部分に位置させて、上記円筒面Ｃよりも径方向外方位置で上方に窪む窪み部１２６を形成している。そのため、切欠き部１２５から流出する煮こぼれ汁の一部が庇部１２３の下面に回り込んでも、窪み部１２６で水切りされて落下する。そして、煮こぼれ汁の落下位置は上記円筒面Ｃよりも径方向外方、即ち、上段炎孔１３の開口部下端よりも径方向外方になるから、上段炎孔１３の開口部に煮こぼれ汁がかかることを確実に防止できる。
【００２３】
また、本実施形態では、バーナヘッド１２の端壁部１２１の上面に、端壁部１２１の中央部から堤部１２４に向かう下り勾配を付けると共に、切欠き部１２５の底面に、この下り勾配よりも大きな下り勾配を付けている。これにより、端壁部１２１上面に煮こぼれ汁が滞留しにくくなって、端壁部１２１上面への煮こぼれ汁の焦げ付きを防止できる。更に、切欠き部１２５から流出する煮こぼれ汁の流速が増加して、煮こぼれ汁がより径方向外方に落下し、下段炎孔１４の開口部に煮こぼれ汁がかかることをより確実に防止できる。
【００２４】
更に、本実施形態では、堤部１２４の内周面の下端コーナー部１２４ａにアールを付けると共に、切欠き部１２５の周方向両側の下端コーナー部１２５ａにアールを付けている。これにより、上記コーナー部１２４ａ，１２５ａに煮こぼれ汁が滞留することを抑制できる。
【００２５】
また、切欠き部１２５から流出する煮こぼれ汁の流速を増加するには、図６に示す実施形態の如く、切欠き部１２５を、周方向幅が径方向外方に向けて狭くなるように形成してもよい。尚、この実施形態においても、上記実施形態と同様に、端壁部１２１の上面に、端壁部１２１の中央部から堤部１２４に向かう下り勾配を付けると共に、切欠き部１２５の底面に、この下り勾配よりも大きな下り勾配を付けることが望ましい。
【００２６】
以上、本発明に実施形態について図面を参照して説明したが、本発明はこれに限定されない。例えば、上記実施形態は、親子バーナの子バーナから成るコンロ用バーナに本発明を適用したものであるが、親子バーナではない通常のコンロ用バーナにも同様に本発明を適用できる。
【符号の説明】
【００２７】
１…子バーナ（コンロ用バーナ）、１２…バーナヘッド、１２１…端壁部、１２２…周壁部、１２３…庇部、１２４…堤部、１２４ａ…堤部の内周面の下端コーナー部、１２５…切欠き部、１２５ａ…切欠き部の周方向両側の下端コーナー部、１２６…窪み部、１３…上段炎孔、１４…下段炎孔、Ｃ…上段炎孔の開口部下端を通る円筒面、Ｗ…下段炎孔間の間隔部分の周方向範囲。
【図１】
2018189255.tif 000003
【図２】
2018189255.tif 000004
【図３】
2018189255.tif 000005
【図４】
2018189255.tif 000006
【図５】
2018189255.tif 000007
【図６】
2018189255.tif 000008